(57)【要約】【課題】テレビジョン放送に用いられるノンリニアバンクシステムにおいて、タッチパネルを用いて操作する際の操作性を向上させる技術を提供する。【解決手段】ビデオサーバシステム１０は、送出システム２０と、送出端末４０とを備える。送出システム２０は、ビデオサーバ装置２２と、自動放送装置２４と、送出制御装置２６とを備える。送出端末４０のユーザインタフェイス部５０は、ユーザの操作を取得する機能として、タッチパネル５４を備え、モニタ４４に一体に取り付けられている。モニタ４４に表示される送出画面には、台本表示エリアとリスト形式で表示するリスト表示エリアがあり、それぞれのエリアは、エリアの一部をドロップすることで直感的にエリアをスクロールすることができる。【選択図】図１７
2012147322.tif 000002
【特許請求の範囲】
【請求項１】
放送用のビデオサーバの送出端末のタッチパネル式ＧＵＩの表示方法であって、
放送番組に関する素材をタッチパネルにより選択可能にモニタの画面に表示する素材表示工程と、
前記放送番組に関する素材が表示された領域を、ドラッグ・アンド・ドロップ操作することで、スクロールまたはページ送りを行う表示遷移工程と
を備えることを特徴とする表示方法。
【発明の詳細な説明】
【技術分野】
【０００１】
本発明は、テレビジョン放送業務において送出する編集済み映像（以下、「編済映像」という。）に関する操作を行う送出端末における表示方法に係り、特に、ＧＵＩ（Graphical User Interface）の情報表示エリアに関し、エリアに収まり切らない情報を表示する場合に、必要に応じて表示エリアをスクロール等させる表示方法に関する。
【背景技術】
【０００２】
テレビジョン放送業務では、従来からビデオサーバを備えたノンリニアバンクシステムを用い、ＶＴＲなどの画像音声記録手段に記録してある素材（放送素材）をビデオサーバにファイリングした上で放送するようになっている。また、素材のファイリングや送出設定を容易に得られるようにしたノンリニアバンクシステムも開発されている（例えば、特許文献１参照）。
【０００３】
ところで、テレビジョン放送業務におけるノンリニアバンクシステムの操作性向上の観点から、従来から、送出端末のＧＵＩ上のスクロールバーやボタンを操作することで、所定の表示領域のスクロールやページ移動が行われている。ここで、送出端末におけるＧＵＩの画面構成を図１〜図５に例示する。
【０００４】
（１）送出画面
図１に、送出画面Ｍ１の概要を示す。送出画面Ｍ１には、主に番組や項目といったグループに属する編済映像が台本形式又はリスト形式で表示される。ユーザが表示された映像を選択し、出力ポートを選択して、最後に「ＳＥＴボタン」を押下することで、選択された出力ポートに映像がスタンバイされ、映像を送出できるようになる。スタンバイされた映像は、所定の時刻になると送出される。
【０００５】
ここで、台本表示エリアＡ１には、例えば、台本形式の編済映像（以下、単に「台本」という）を最大１２個まで同時に表示することができ、台本の数が最大数を超える場合は、エリア右部のスクロールバーＢ１を操作することで、所望の台本を表示することができる。リスト表示エリアＡ２には最大１０個まで編済映像のリストを表示可能である。そして、同様にスクロールバーＢ２を操作することで所望のリストを表示することができる。
【０００６】
送出画面Ｍ１に配置されているスクロールバーＢ１、Ｂ２やボタンは、タッチパネル式となっており、タッチパネルの操作性を向上のために、それらのサイズは比較的大きくなっている。
【０００７】
（２）時刻表画面
図２に、時刻表画面Ｍ２の概要を示す。この時刻表画面Ｍ２には、１日の番組の構成が表示される。ユーザが表示された番組を選択し番組セットボタンを押下すると、その番組内の項目や素材が図１で示した送出画面Ｍ１の台本表示エリアＡ１に表示される。また、ユーザが所定のオーダーボタンを押下すると、次の図３に示すオーダー画面Ｍ３に遷移する。番組情報エリアＡ３には、番組を最大８個まで番組リストを表示することができる。番組の数が最大数を超える場合は、ユーザは矢印ボタンＢ３〜Ｂ６を押下することで所望の番組リストを表示することができる。上矢印（小）ボタンＢ３が押下されると、現在表示している番組の１つ前の番組が表示される。上矢印（大）ボタンＢ４が押下されると、現在表示している番組の８つ前の番組が表示される。下矢印（小）ボタンＢ５が押下されると、現在表示している番組の１つ後の番組が表示される。下矢印（大）ボタンＢ６が押下されると、現在表示している番組の８つ後の番組が表示される。時刻表画面Ｍ２に配置されている各ボタンは、送出画面Ｍ１と同様に、タッチパネル式であって、タッチパネルによる操作性を向上させるために、比較的大きなサイズになっている。
【０００８】
（３）オーダー画面
図３に、オーダー画面Ｍ３の概要図を示す。オーダー画面Ｍ３の項目情報エリアＡ４には、時刻表画面Ｍ２で選択した番組に属する項目が表示される。ユーザが項目情報エリアＡ４に表示された項目を選択し、項目セットボタンを押下すると、その項目内の映像が図１の送出画面Ｍ１の台本表示エリアＡ２に表示される。オーダー画面Ｍ３はページ単位で表示され、例えば１ページ当たり、項目を最大２０個まで表示することができる。項目数が２０個を超える場合は、画面右下の前ページボタンＢ７と次ページボタンＢ８を押下して表示する。前ページボタンＢ７を押下すると、現在表示している項目の２０個前の項目を表示する。次ページボタンＢ８を押下すると、現在表示している項目の２０個後の項目を表示する。オーダー画面Ｍ３に配置されている各ボタンは、上述の画面同様に、タッチパネル式であって、タッチパネルによる操作性を向上させるために、比較的大きなサイズになっている。
【先行技術文献】
【特許文献】
【０００９】
【特許文献１】特開２００５−２１０４９０号公報
【発明の概要】
【発明が解決しようとする課題】
【００１０】
ところで、上述の従来手法には、タッチパネルによるＧＵＩの操作性が低いという課題がある。ボタン押下やスクロールバーによるページのスクロールは、マウス操作を前提としたＵＩ（User Interface）である。タッチパネル操作は、マウス操作に比べ、精細な操作ができないことが多い。例えば、図４に、表示する台本が多い場合の台本表示エリアＡ１を例示する。図示のように、エリア右側にエリアをスクロールするためのスクロールバーＢ１が設けられている。スクロールバーＢ１は、上下二つの「スクロールアローＢ９」と「つまみＢ１０」で構成されている。つまみＢ１０は台本表示エリアＡ１に表示する台本の個数、より具体的には隠れているエリアによってサイズが変化し、台本の個数が増えて隠れているエリアが増えるほど、つまみＢ１０の高さは小さくなる。小さくなったつまみＢ１０をタッチパネル操作によってドラッグすることは、一般には非常に困難である。これは、リスト表示エリアＡ１についても同様である。また、図５に、時刻表画面Ｍ２ｂの全体図を例示する。本図から分かるように、画面内でスクロール（ページ送り／戻し作業）に使うエリアは、斜線を除いたごく一部の領域（Ｂ３〜Ｂ６）である。上述のように、一般に、タッチパネルは繊細な操作を苦手とする。したがって、タッチパネルとの相性が悪く、マウス操作を基本とする設計から脱却できないという課題がある。これは、オーダー画面等についても同様である。
【００１１】
本発明は、このような状況に鑑みなされたものであってその目的は、テレビジョン放送に用いられるノンリニアバンクシステムにおいて、タッチパネルを用いて操作する際の操作性を向上させる技術を提供することにある。
【課題を解決するための手段】
【００１２】
本発明は、放送用のビデオサーバの送出端末のタッチパネル式ＧＵＩの表示方法であって、放送番組に関する素材をタッチパネルにより選択可能にモニタの画面に表示する素材表示工程と、前記放送番組に関する素材が表示された領域を、ドラッグ・アンド・ドロップ操作することで、スクロールまたはページ送りを行う表示遷移工程とを備える。
【発明の効果】
【００１３】
以上、本発明によると、テレビジョン放送に用いられるノンリニアバンクシステムにおいて、タッチパネルを用いて操作できるエリアを広くし、繊細な操作を不要にする技術を提供することができる。また、別の観点では、タッチパネルの特性を活かした直感的な操作を追加することができる。
【図面の簡単な説明】
【００１４】
【図１】従来技術に係る、送出端末のモニタに表示される送出画面を示す図である。
【図２】従来技術に係る、送出端末のモニタに表示される時刻表画面を示す図である。
【図３】従来技術に係る、送出端末のモニタに表示されるオーダー画面を示す図である。
【図４】従来技術に係る、表示する台本が多い場合の送出画面の台本表示エリアを示す図である。
【図５】従来技術に係る、送出端末のモニタに表示される時刻表画面についてスクロール可能領域を明示した図である。
【図６】実施形態に係る、送出端末のモニタに表示される送出画面の台本表示エリアを示す図である。
【図７】実施形態に係る、送出端末のモニタに表示される送出画面の台本表示エリアであって、所定の位置を指で掴んだ状態を示した図である。
【図８】実施形態に係る、送出端末のモニタに表示される送出端末のモニタに表示される送出画面の台本表示エリアであって、指で掴んだ状態のまま、台本１つ分の高さだけ上にスライドさせた状態を示した図である。
【図９】実施形態に係る、送出端末のモニタに表示される送出端末のモニタに表示される送出画面の台本表示エリアであって、指で掴んだ状態のまま、台本２つ分の高さだけ上にスライドさせ状態を示した図である。
【図１０】実施形態に係る、送出端末のモニタに表示される時刻表画面においてスクロール操作可能なエリアを斜線で示した図である。
【図１１】実施形態に係る、送出端末のモニタに表示される時刻表画面の番組情報エリアであって、所定の位置を指で掴んだ状態を示した図である。
【図１２】実施形態に係る、送出端末のモニタに表示される時刻表画面の番組情報エリアであって、指で掴んだ状態のまま、番組１つ分の高さだけ上にスライドさせ状態を示した図である。
【図１３】実施形態に係る、送出端末のモニタに表示される時刻表画面の番組情報エリアであって、指で掴んだ状態のまま、番組２つ分の高さだけ上にスライドさせ状態を示した図である。
【図１４】実施形態に係る、送出端末のモニタに表示されるオーダー画面においてページ送り操作可能なエリアを斜線で示した図である。
【図１５】実施形態に係る、送出端末のモニタに表示されるオーダー画面の項目情報エリアであって、所定の位置を指で掴んだ状態を示した図である。
【図１６】実施形態に係る、送出端末のモニタに表示されるオーダー画面の項目情報エリアであって、指で掴んだ状態のまま、右にスライドさせた状態を示した図である。
【図１７】実施形態に係る、ビデオサーバシステムの概略構成を示す機能ブロック図である。
【発明を実施するための形態】
【００１５】
次に、本発明を実施するための形態（以下、単に「実施形態」という）を、図面を参照して具体的に説明する。本実施形態は、テレビジョン放送業務におけるノンリニアバンクシステム（ビデオサーバシステム）に関して、タッチパネルを用いて操作できるエリアを広くし、繊細な操作を不要にする技術を提供するものである。また、タッチパネルの特性を活かした直感的な操作を追加するものである。そのために、ビデオサーバシステムにおいて、送出端末のメインディスプレイにタッチパネルが使用される。そのタッチパネルには、編済映像を送出するためのＧＵＩが表示され、ユーザはタッチパネル操作のみで端末の全ての機能を操作することができる。送出端末のＧＵＩが表示する画面には送出画面、時刻表画面、オーダー画面がある。それぞれの画面には、編済、番組、項目の情報を表示するエリアがある。ここで、エリアに表示できる個数には限りがある。一度に表示できなかった情報を表示する場合は、エリアをスクロールさせるなどの操作が必要である。詳細は後述するが、例えば送出画面には、編済映像を台本形式で表示する台本表示エリアとリスト形式で表示するリスト表示エリアがあり、それぞれのエリアは、エリアの一部を仮想的に引きずり所望の場所に落とすように操作するいわゆるドラッグ・アンド・ドロップ操作（以下、単に「ドロップ」ともいう）することで直感的にエリアをスクロールすることが特徴である。また、時刻表画面には、番組を表示する番組情報エリアがあり、このエリアは、エリアの一部をドロップすることで直感的にエリアをスクロールすることが特徴である。また、オーダー画面には、項目を表示する項目情報エリアがあり、このエリアは、エリアの一部をドロップすることで直感的にページを遷移させることが特徴である。以下、詳細に説明する。
【００１６】
図１７は、本実施形態に係るビデオサーバシステム１０の概略構成を示す機能ブロック図である。本実施形態の特徴的な機能は送出端末４０のＧＵＩにあり、その機能以外については一般的なビデオサーバシステム１０の構成で実現できるが、まず概要を説明する。ビデオサーバシステム１０は、送出システム２０と、送出端末４０とを備えて構成されている。
【００１７】
送出システム２０は、ビデオサーバ装置２２と、自動放送装置２４と、送出制御装置２６とを備える。自動放送装置２４には、送出端末４０が備えられている。ビデオサーバ装置２２は、多数の番組素材を適宜収録し、また、送出制御装置２６の制御によりビデオサーバ装置２２に収録された多数の番組素材が適宜読み出され、オンエアのために番組素材の送出をする働きをする。
【００１８】
自動放送装置２４は、放送管理コンピュータとしての機能を有し、放送業務に関する全てのデータを管理する。その処理の一環として、例えば、１日分あるいは１週間分の放送プログラムに必要な複数の素材の放送スケジュールを、対応する素材のそれぞれが放送される順番に収録されている放送進行データとして保持する。このような内容が、例えば、日時毎に放送スケジュールとして前もって計画・作成され、自動放送装置２４の所定の記録手段（図示せず。）に蓄積され、スケジュールにあわせて送出される。
【００１９】
さらに、自動放送装置２４は、所定の放送スケジュール表に従って、まず、各々の素材の放送開始時刻の所定時間前になったとき、その素材の素材ＩＤ（素材に対する識別コード）を送出制御装置２６に供給する。次に、各々の素材の放送開始時刻になったとき、その素材の放送開始命令を送出制御装置２６に出力する。ビデオサーバ装置２２は、磁気ディスク装置、光ディスク装置、ＤＶＤ装置等のランダムアクセスが可能な記録装置で構成され、放送プログラム１日分あるいは１週間分の素材を予め格納保持すると共に、送出制御装置２６の制御のもとで動作するようになっている。したがって、送出制御装置２６は、自動放送装置２４から出力された素材ＩＤを用いてビデオサーバ装置２２内の素材を検索し、キューアップ（放送開始可能状態にすること）し、素材の放送開始命令に応じて、順次、キューアップされた素材をビデオサーバ装置２２から読み出して放送装置に送出する働きをする。このようにして、ビデオサーバシステム１０としての動作がなされる。
【００２０】
送出端末４０は、主制御部４２と、モニタ４４と、ユーザインタフェイス部５０とを備える。主制御部４２は、送出端末４０の各構成要素を統括的に制御する。そして、各構成要素は、主制御部４２を介して自動放送装置２４により制御される。
【００２１】
モニタ４４は、放送業務の現在の進行状況や編集状況等を表示する。ここでは、メインディスプレイを想定する。現在放送している素材を含む番組（複数の素材の集合）の識別コード、番組名、放送開始時刻、素材の長さ、素材の識別コード等、現在放送中の素材のデータ及び次に放送する予定の素材のデータなどが表示される。したがって、モニタ４４を見ることにより、放送プログラムの編集状況の確認や、放送プログラムの進行状況の確認をすることができる。
【００２２】
ユーザインタフェイス部５０は、ユーザの操作を取得する機能として、ＵＩ制御部５２と、タッチパネル５４と、ポインティングディバイス５８と、キーボード５６とを備えている。タッチパネル５４は、モニタ４４に一体に取り付けられ、ユーザのタッチパネル操作を実現する。ポインティングディバイス５８は例えばマウスである。そして、ユーザは、タッチパネル５４、ポインティングディバイス５８、キーボード５６等を用いて所望の操作を行う。なお、本実施形態ではタッチパネル５４でモニタ４４に表示されるＵＩに対する全ての操作を実現することができるので、ポインティングディバイス５８やキーボード５６は省略することができる。
【００２３】
このような構成を採用することで、ビデオサーバシステム１０のビデオサーバ装置２２には、各ユーザ等からのＣＭ素材、本編素材（ドラマや映画等の本放送素材をいう。）、静止画素材、音声素材、スーパー素材（スーパーインポーズ素材をいう。）等が別々の素材ＩＤとして登録され、放送スケジュール表に従って、送出制御装置２６がビデオサーバ装置２２にアクセスし、放送スケジュール表に従ってオンエア（送出）する。
【００２４】
つづいて、図６〜図１６を用いて、上述のビデオサーバシステム１０の構成によって実現するタッチパネル操作（ＧＵＩ）について説明する。
【００２５】
（１）送出画面
図６は、送出画面の台本表示エリアＡ２を示しており、特に本実施形態におけるスクロール操作可能なエリアを斜線で示している。この斜線で示したエリアをタッチし続けることで、いわゆるエリアを掴んだ状態となり、その状態のまま指を上下にスライドさせるとエリアがそれに追従し、スクロールする。
【００２６】
図７〜９に、スクロールの具体例を示す。図７の台本表示エリアＡ２１に示すように、台本１０と台本１１の間の位置を指Ｆで掴んだと仮定する。図８に、指Ｆで掴んだ状態のまま、台本１つ分の高さだけ上にスライドした台本表示エリアＡ２２を示す。図９に、指Ｆで掴んだ状態のまま、台本２つ分の高さだけ上にスライドした台本表示エリアＡ２３を示す。下方向のスクロールも同様な手法でスクロールする。台本表示エリアＡ２（Ａ２１〜Ａ２３）では、台本をクリックすることで台本を選択状態にする。なお、台本表示エリアＡ２に表示される台本には、上記のようなドラッグ・アンド・ドロップ操作に対応した動作は関連づけられていないため、操作による競合処理状態は発生しない。
【００２７】
（２）時刻表画面
図１０に、時刻表画面Ｍ５のスクロール操作可能なエリアを斜線で示している。ここでは、番組情報エリアＡ５がスクロール可能なエリアとなっている。スクロールの手法は、送出画面の台本表示エリアＡ２（Ａ２１〜Ａ２３）と同じくドロップ操作によるものである。以下に具体例を示す。図１１に、番組４の位置を指Ｆで掴んだ状態とした番組情報エリアＡ５１（時刻表画面Ｍ５１）の例を示す。図１２に、番組４の位置を指Ｆで掴んだ状態のまま、番組１つ分の高さ上にスライドした状態の番組情報エリアＡ５２（時刻表画面Ｍ５２）の例を示す。図１３に、また、番組２つ分の高さ上にスライドした例を示す。
番組情報エリアＡ５３（時刻表画面Ｍ５３）の例を示す。下方向のスクロールも同様な手法でスクロールする。
【００２８】
番組情報エリアＡ５（Ａ５１〜Ａ５３）では、番組をクリックすることで番組を選択状態にする。ここでも、上記のようなドラッグ・アンド・ドロップ操作に対応した動作は関連づけられていないため、操作による競合処理状態は発生しない。
【００２９】
（３）オーダー画面
図１４にオーダー画面Ｍ６のページ送り操作可能なエリアを斜線で示している。ここでは、項目情報エリアＡ６が斜線で示しされている。オーダー画面Ｍ６の項目情報エリアＡ６は、上述の他の画面と異なり、現在表示している項目と次に表示する項目が全て異なっており、スクロールではなく、ページ単位で表示が遷移する。この項目情報エリアＡ６をタッチし続けることでエリアを掴んだ状態として、そのまま指Ｆを右にスライドさせると次ページに遷移し、左にスライドさせると前ページに遷移する。
【００３０】
図１５に、具体例として、オーダー画面Ｍ６１の項目情報エリアＡ６１において項目４の右端の位置を指Ｆで掴んだ状態を示す。図１６のオーダー画面Ｍ６２の項目情報エリアＡ６２では、指Ｆで掴んだ状態のまま、右にスライドさせた例を示している。オーダー画面Ｍ６（Ｍ６１、Ｍ６２）では、スクロールではなく、ページ単位の遷移がなされるため、１回のドロップ操作で１ページ移動する。スクロールのようには連続的な遷移を行わないため、操作性を考慮し、ページの遷移はスクロールに比べて指Ｆの移動量を少なく設定することが好ましい。このような処理を行うことで、本のページをめくるような感覚でページを遷移させることができる。項目情報エリアＡ６（Ａ６１、Ａ６２）では、所望の項目をクリックすることで、クリックされた項目が選択状態となる。ここでも、上記のようなドラッグ・アンド・ドロップ操作に対応した動作が関連づけられていないため、操作による競合処理状態は発生しない。
【００３１】
以上のように、スクロールやページ遷移したいエリアに対して、エリア内のどの位置にタッチしても操作できるため、繊細な操作が不要になり、快適さが増す。また、スクロールに関しては、指をスライドさせたい方向にスライドさせたい分だけスクロールでき、ページ送りに関しては、本のページをめくるように操作できるので直感的な操作ができる。
【００３２】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【００３３】
本発明の概要をまとめると以下の通りである。
放送用のビデオサーバの送出端末のタッチパネル式ＧＵＩの表示方法であって、放送番組に関する素材をタッチパネルにより選択可能にモニタの画面に表示する素材表示工程と、前記放送番組に関する素材が表示された領域を、ドラッグ・アンド・ドロップ操作することで、スクロールまたはページ送りを行う表示遷移工程とを備える。
また、放送番組に関する素材とは、各ユーザ等からのＣＭ（Commercial Message）素材、本編素材、静止画素材、音声素材、スーパー素材（スーパーインポーズ素材をいう。）等であって、素材表示工程において、台本形式またはリスト形式で表示される。
また、素材表示工程は、送出画面、時刻表画面、及びオーダー画面の少なくとも１種類の画面において行われる。
【符号の説明】
【００３４】
１０  ビデオサーバシステム
２０  送出システム
２２  ビデオサーバ装置
２４  自動放送装置
２６  送出制御装置
４０  送出端末
４２  主制御部
４４  モニタ
５０  ユーザインタフェイス部
５２  ＵＩ制御部
５４  タッチパネル
【図１】
2012147322.tif 000003
【図２】
2012147322.tif 000004
【図３】
2012147322.tif 000005
【図４】
2012147322.tif 000006
【図５】
2012147322.tif 000007
【図６】
2012147322.tif 000008
【図７】
2012147322.tif 000009
【図８】
2012147322.tif 000010
【図９】
2012147322.tif 000011
【図１０】
2012147322.tif 000012
【図１１】
2012147322.tif 000013
【図１２】
2012147322.tif 000014
【図１３】
2012147322.tif 000015
【図１４】
2012147322.tif 000016
【図１５】
2012147322.tif 000017
【図１６】
2012147322.tif 000018
【図１７】
2012147322.tif 000019